(57)【要約】      （修正有）【課題】防寒効果がありつつも、手袋を取らなくてもスムーズにタッチパネルの操作ができる発熱手袋を提供する。  【解決手段】外手袋１０、内手袋２０、発熱部品３０、コントローラー及び電源部品を含む発熱手袋であり、内手袋は縫製により外手袋の内面と結合する。内手袋の五つの指着用部は、手袋を取らずに外手袋から出すことができ、内手袋の指着用部にタッチ部２１１，２２１，２３１を設け、発熱部品は内手袋の五つの指着用部の周りに設置する。コントローラーは外手袋に固定し、発熱部品の電源のオンオフ及び、数段階に発熱部品の温度の強弱をコントロールすることができる。電源部品はコントローラーによって電流を発熱部品に流すのをコントロールする。タッチ部は、導電する金属繊維糸を含む。【選択図】図４
0003184363.tif 000002
【実用新案登録請求の範囲】
【請求項１】
外手袋、内手袋、発熱部品、コントローラー及び電源部品を含み、
外手袋は比較的厚みのある防寒手袋であり、外手袋の一端に親指を入れる第一着用部及び、人差し指、中指、薬指、小指を入れる第二着用部を設け、第一着用部と第二着用部はそれぞれ一つの開口を設け、外手袋に電源部品を設置できる収納袋を設け、
内手袋は比較的薄めの保温手袋であり、内手袋の一端は縫製により外手袋の内面と結合し、内手袋の別端は五つのそれぞれ親指を入れる第一着用部、人差し指を入れる第二着用部、中指を入れる第三着用部、薬指を入れる第四着用部、小指を入れる第五着用部を設け、
発熱部品はソフト、彎曲できる、抗酸塩基、静電気防止、すばやい発熱、省エネのある複合繊維発熱糸で作られ、それを内手袋の第一着用部、第二着用部、第三着用部、第四着用部及び第五着用部の周りに設置し、
コントローラーは防水ボックスの中にパッキングして外手袋に固定されており、それに含まれるのはスイッチ、電子回路基板及び指示ランプであり、コントローラーは発熱部品の電源のオンオフ、及び数段階の発熱部品の温度の強弱をコントロールでき、
電源部品はコントローラーによって電流を発熱部品に流すのをコントロールし、発熱部品を発熱させることができ、  
前記の構造により、本考案は防寒効果を持ち、指が機敏に操作することができると共に、手に熱を与えて防寒効果を得ることができ、且つスムーズにタッチパネルを操作できることを特徴とする知的な発熱手袋の構造。
【請求項２】
前記外手袋の第二着用部に設ける開口に開閉部品を設け、該開閉部品は防水ファスナーとすることを特徴とする請求項１記載の知的な発熱手袋の構造。
【請求項３】
前記外手袋の収納袋の袋口に一つの開閉部品を設け、該開閉部品は防水ファスナーとすることを特徴とする請求項２記載の知的な発熱手袋の構造。
【請求項４】
前記内手袋の少なくとも第一着用部、第二着用部、第三着用部の親指、人差し指、中指の腹の位置にそれぞれタッチ部を設け、該タッチ部は導電する金属繊維糸を含み、縫製或いは刺繍の方法により、第一着用部、第二着用部、第三着用部の内面と外表面に形成し、指とタッチパネルが良い電気接触をすることができることを特徴とする請求項１記載の知的な発熱手袋の構造。
【請求項５】
前記タッチ部は親指、人差し指、中指の第一着用部、第二着用部、第三着用部にのみ対応すると限定せず、薬指、小指の第四着用部、第五着用部に対応して設置することができ、或いは対応する指をセレクトして着用部にタッチ部を設置することができることを特徴とする請求項６記載の知的な発熱手袋の構造。
【請求項６】
前記コントローラーを外手袋の手の甲に対応して設置できることを特徴とする請求項１記載の知的な発熱手袋の構造。
【考案の詳細な説明】
【技術分野】
【０００１】
本考案は知的な発熱手袋の構造に関し、特に内外二層の手袋の構造であり、防寒効果がありつつも、指の動きに影響を来たさず機敏に動くことができる。また、手袋の内部に発熱部品を設け、手に熱を与えることで、防寒効果を高める。内層の手袋の親指、人差し指、中指の腹の部分にタッチ部を設けるため、手袋を取らなくてもスムーズにタッチパネルの操作をすることができる知的な発熱手袋の構造に関する。
【背景技術】
【０００２】
冬や寒い環境にいると、人体の血液循環は比較的ゆっくりとなり、体温が下がりやすく寒さを感じる。特に指は四肢の末端にあるため、血液循環は更に悪く、もっとも簡単に不快な寒さを感じやすい。このような冷たい不快感は、年配の方や、虚弱な方、極寒の環境で動く方にとっては、更に辛いものとなる。
【０００３】
前記の指の冷たい不快感を改善するため、一般的に手袋を着けて防寒をする。従来の手袋は革、人工革、生地、毛糸で縫製或いは編まれたものである。従来の手袋を着けると、手を暖かく保つことはできるが、従来の手袋は自ら熱を生じることはできないため、年配者や虚弱な方、或いは極寒環境で作業する方にとっては、防寒効果がないことは明らかである。
【０００４】
更に、現在市販されている防寒手袋の多くは、比較的薄い保温手袋と、比較的厚い防寒手袋に分けられる。比較的厚みのある防寒手袋にとって、通常手袋の内層に保温性の高い、例えばダウン、シルク、ウール、レーヨンの材料を敷くことで、防寒効果を高める。ただ、手袋の内層に保温性の比較的高い材料を敷くと、厚みがありすぎて、指の機敏度に影響を来たし、正常に手を動かすのに邪魔となる。よって、指で何かを操作する際の機敏度に影響を与えるのを避けるためには、防寒手袋を取り、操作後に再び着ける必要が出てくる。そうすると、暫時の寒い不快感があるほか、使用上も大変不便である。
【０００５】
また、静電容量方式のタッチパネルは指先でタッチして操作する必要があり、既に広くさまざまな電子製品に活用されて情報を表示している。よって、手袋を着けたら、指は手袋に覆われて直接静電容量方式のタッチパネルを操作することができず、ユーザーは手袋を取ってからタッチパネルを操作使用することになるため、不便となることを鑑みて、更なる改善が必要であった。
【先行技術文献】
【特許文献】
【０００６】
【特許文献１】特開２００８−１０１３１２号公報
【考案の概要】
【考案が解決しようとする課題】
【０００７】
前記公知構造の欠点を解決するため、本考案は内手袋と外手袋を具有し、且つ防寒効果を考慮し、及び指先で何かを操作する機敏度に影響を与えず、また、手袋の内部に発熱部品を設置することで、手に熱を与えて防寒効果を高める。また、内手袋の親指、人差し指、中指の腹に当たる位置にタッチ部を設けることで、手袋を取らなくても、スムーズにタッチパネルを操作することができる知的な発熱手袋の構造を提供することを主な課題とする。
【課題を解決するための手段】
【０００８】
前記課題を解決するため、本考案は知的な発熱手袋を提供するものである。それに含まれるのは外手袋、内手袋、発熱部品、コントローラー及び電源部品である。
【０００９】
外手袋は比較的厚い防寒手袋である。内手袋は比較的薄い保温手袋であり、内手袋の一端は、縫製によって外手袋の内面と結合する。発熱部品はソフト、彎曲できる、抗酸塩基、静電気防止、すばやい発熱、省エネのある複合繊維発熱糸で作られる。コントローラーは一つの防水ボックスの中にパッキングされて外手袋に固定する。それに含まれるのはスイッチ、電子回路基板及び指示ライトである。コントローラーは発熱部品の電源のオンオフ、及び数段階の発熱部品の温度の強弱をコントロールできる。電源部品はコントローラーによって電流を発熱部品に流すのをコントロールし、発熱部品を発熱させる。
【００１０】
前記の構造により、防寒効果及び指先で何かを操作する機敏度に影響を与えないことを共に考慮し、且つ手に熱を与えて防寒効果を得ると共に、タッチパネルをスムーズに操作できる知的な発熱手袋の構造を提供する。
【考案の効果】
【００１１】
本考案は内手袋と外手袋及び発熱部品の設置により、指が機敏に何かを操作することができると共に、手に熱を与えて防寒効果を得ることができ、且つスムーズにタッチパネルを操作することができる。
【図面の簡単な説明】
【００１２】
【図１】本考案における正面構造図である。
【図２】本考案における背面構造図である。
【図３】本考案における発熱部品、コントローラー及び電源部品の電気接続関係略図である。
【図４】本考案における内手袋の各着用部分をそれぞれ外手袋から出す略図である。
【図５】本考案における内手袋からタッチ部を露出してタッチパネルを操作する略図である。
【考案を実施するための形態】
【００１３】
本考案による知的な発熱手袋の構造を明確に示すために図１から図５に沿って詳細な説明を行う。
【００１４】
図１に示すように、本考案は外手袋１０、内手袋２０、発熱部品３０、コントローラー４０及び電源部品５０を含む。
【００１５】
同時に図２に示すように、外手袋１０は比較的厚みのある防寒手袋である。外手袋１０の一端に親指を入れる第一着用部１１及び、人差し指、中指、薬指、小指を入れる第二着用部１２を設ける。第一着用部１１と第二着用部１２はそれぞれ一つの開口１１１、１２１を設け、外手袋１０に電源部品５０を設置できる収納袋１３を設ける。
【００１６】
前記外手袋１０の最良実施例として、第二着用部１２に設ける開口１２１に開閉部品１２２を設け、該開閉部品１２２は防水ファスナーがベストである。
【００１７】
前記外手袋１０の最良実施例として、収納袋１３の袋口に一つの開閉部品１３１を設け、該開閉部品１３１は防水ファスナーがベストである。
【００１８】
同時に図２に示すように、内手袋２０は比較的薄めの保温手袋である。内手袋２０の一端は縫製により外手袋１０の内面と結合する。内手袋２０の別端は五つのそれぞれ親指を入れる第一着用部２１、人差し指を入れる第二着用部２２、中指を入れる第三着用部２３、薬指を入れる第四着用部２４、小指を入れる第五着用部２５を設ける。中でも、第一着用部２１は外手袋１０の第一着用部１１の中に入れることができ、第二着用部２２、第三着用部２３、第四着用部２４、第五着用部２５は、同時に外手袋１０の第二着用部１２の中に入れることができる。
【００１９】
前記内手袋２０の最良実施例として、少なくとも第一着用部２１、第二着用部２２、第三着用部２３の親指、人差し指、中指の腹の位置にそれぞれタッチ部２１１、２２１、２３１を設け、該タッチ部２１１、２２１、２３１は導電する金属繊維糸を含み、縫製或いは刺繍の方法により、第一着用部２１、第二着用部２２、第三着用部２３の内面から外表面に形成する。よって、タッチ部２１１、２２１、２３１にある導電する金属繊維糸により、指とタッチパネルが良い電気接触をすることができ、人体の電流が確実にタッチパネルに伝わることで、スムーズにタッチパネルを操作することができる。
【００２０】
前記タッチ部２１１、２２１、２３１は親指、人差し指、中指の第一着用部２１、第二着用部２２、第三着用部２３にのみ対応すると限定せず、薬指、小指の第四着用部２４、第五着用部２５に対応して設置することができ、或いは対応する指をセレクトして着用部にタッチ部を設置することができる。
【００２１】
図２、図３に示すように、発熱部品３０はソフト、彎曲できる、抗酸塩基、静電気防止、すばやい発熱、省エネのある複合繊維発熱糸で作られる。それを内手袋２０の第一着用部２１、第二着用部２２、第三着用部２３、第四着用部２４及び第五着用部２５の周りに設置し、発熱部品３０の両端は外手袋１０の収納袋１３の近くまで延伸し、発熱部品３０の両端に一つのプラグ端子３１を設ける。
【００２２】
図２、図３に示すように、コントローラー４０は防水ボックスの中にパッキングして外手袋１０に固定されている。それに含まれるのはスイッチ、電子回路基板及び指示ランプである（スイッチ、電子回路基板及び指示ランプは小さなボックスの中に隠してパッキングしているため、これ以上図式にて掲示することができないことをご了承ください）。コントローラー４０は更に発熱部品３０と電気接続できる第一プラグ端子４１及び電気部品５０と電気接続する第二プラグ端子４２を設ける。コントローラー４０は発熱部品３０の電源のオンオフ、及び数段階の発熱部品３０の温度の強弱をコントロールできる。
【００２３】
前記コントローラー４０の最良実施例として、外手袋１０の手の甲に対応して設置するのがベストである。
【００２４】
図２、図３に示すように、電源部品５０は重複して充電使用できるバッテリーとすることができ、それに一つのプラグ端子５１を設け、コントローラー４０の第二プラグ端子４２と互いに電気接続することができる。
【００２５】
前記の構造により、手を内手袋２０の中に入れ、親指、人差指、中指、薬指、小指をそれぞれ第一着用部２１、第二着用部２２、第三着用部２３、第四着用部２４、第五着用部２５内に入れることができる。熱を加える必要がある場合、コントローラー４０の正面を押すだけで、内部のスイッチに触れて、電源を開けて電子回路基板を起動することができる。この時、電源部品５０は電流を発熱部品３０に流すことで、発熱部品３０が発熱することができ、手に対して加熱することで、手の防寒作用に達することができる。その中、コントローラー４０のスイッチは発熱部品３０の大、中、小の三段階の加熱パターンをコントロールすることができ、異なるニーズに基づき使用することができる。
【００２６】
図４、図５に示すように、指で何かを操作したい場合、親指を内手袋２０の第一着用部２１と共に外手袋１０の第一着用部１１に設ける開口１１１から外手袋１０の外側に出すことができ、人差し指、中指、薬指、小指をそれぞれ入れた内手袋２０の第二着用部２２、第三着用部２３、第四着用部２４、第五着用部２５は、外手袋１０の第二着用部１２に設ける開口１２１から外手袋１０の外側に出すことができる。手袋を取らなくとも機敏に操作することができ、手の正常な動きを邪魔することがない。特に、手袋を取る必要がない状況では、内手袋２０にある第一着用部２１、第二着用部２２、第三着用部２３に設けるタッチ部２１１、２２１、２３１を使って、親指、人差し指、中指はタッチパネルと良い電気接触することができ、スムーズに便利にタッチパネルを操作することができる。
【００２７】
前記の図式及び実施例により、本考案は防寒効果を持ち、指が機敏に操作することができると共に、手に熱を与えて防寒効果を得ることができ、且つスムーズにタッチパネルを操作することができる。
【符号の説明】
【００２８】
１０  外手袋
１１  第一着用部
１２  第二着用部
１１１  開口
１２１  開口
１２２  開閉部品
１３  収納袋
１３１  開閉部品
２０  内手袋
２１  第一着用部
２２  第二着用部
２３  第三着用部
２４  第四着用部
２５  第五着用部
２１１  タッチ部
２２１  タッチ部
２３１  タッチ部
３０  発熱部品
３１  プラグ端子
４０  コントローラー
４１  第一プラグ端子
４２  第二プラグ端子
５０  電気部品
５１  プラグ端子
【図１】
0003184363.tif 000003
【図２】
0003184363.tif 000004
【図３】
0003184363.tif 000005
【図４】
0003184363.tif 000006
【図５】
0003184363.tif 000007
【手続補正書】
【提出日】平成25年4月15日(2013.4.15)
【手続補正１】
【補正対象書類名】実用新案登録請求の範囲
【補正対象項目名】全文
【補正方法】変更
【補正の内容】
【実用新案登録請求の範囲】
【請求項１】
外手袋、内手袋、発熱部品、コントローラー及び電源部品を含み、
外手袋は比較的厚みのある防寒手袋であり、外手袋の一端に親指を入れる第一着用部及び、人差し指、中指、薬指、小指を入れる第二着用部を設け、第一着用部と第二着用部はそれぞれ一つの開口を設け、外手袋に電源部品を設置できる収納袋を設け、
内手袋は比較的薄めの保温手袋であり、内手袋の一端は縫製により外手袋の内面と結合し、内手袋の別端は五つのそれぞれ親指を入れる第一着用部、人差し指を入れる第二着用部、中指を入れる第三着用部、薬指を入れる第四着用部、小指を入れる第五着用部を設け、
発熱部品は発熱糸で作られ、それを内手袋の第一着用部、第二着用部、第三着用部、第四着用部及び第五着用部の周りに設置し、
コントローラーは防水ボックスの中にパッキングして外手袋に固定されており、それに含まれるのはスイッチ、電子回路基板及び指示ランプであり、コントローラーは発熱部品の電源のオンオフ、及び数段階の発熱部品の温度の強弱をコントロールでき、
電源部品はコントローラーによって電流を発熱部品に流すのをコントロールし、発熱部品を発熱させることができることを特徴とする発熱手袋。
【請求項２】
前記外手袋の第二着用部に設ける開口に開閉部品を設け、該開閉部品は防水ファスナーとすることを特徴とする請求項１記載の発熱手袋。
【請求項３】
前記外手袋の収納袋の袋口に一つの開閉部品を設け、該開閉部品は防水ファスナーとすることを特徴とする請求項２記載の発熱手袋。
【請求項４】
前記内手袋の少なくとも第一着用部、第二着用部、第三着用部の親指、人差し指、中指の腹の位置にそれぞれタッチ部を設け、該タッチ部は導電する金属繊維糸を含み、縫製或いは刺繍の方法により、第一着用部、第二着用部、第三着用部の内面と外表面に形成し、指とタッチパネルが良い電気接触をすることができることを特徴とする請求項１記載の発熱手袋。
【請求項５】
前記タッチ部は親指、人差し指、中指の第一着用部、第二着用部、第三着用部にのみ対応すると限定せず、薬指、小指の第四着用部、第五着用部に対応して設置することができ、或いは対応する指をセレクトして着用部にタッチ部を設置することができることを特徴とする請求項１記載の発熱手袋。
【請求項６】
前記コントローラーを外手袋の手の甲に対応して設置できることを特徴とする請求項１記載の発熱手袋。